(57)【要約】【課題】  本発明は水や温水に炭酸ガスを効率よく溶解させて、高濃度の炭酸水を製造することができるとともに、炭酸ガスが無駄に排出されるのを効率よく阻止して、経済的に使用することができる炭酸水製造装置を得るにある。【解決手段】  槽と、この槽内へ水あるいは温水をポンプを介装してあるいは圧力がかかる状態で供給する水供給路と、この水供給路のポンプの下流あるいは該水供給路に介装した水あるいは温水に炭酸ガスを溶解させるミキサーと、このミキサーに炭酸ガスを供給する炭酸ガス供給装置と、前記ミキサーの下流の前記水供給路に介装された、該ミキサーと前記ポンプとの間を一定の加圧状態に保つことができる圧力調整弁とで炭酸水製造装置を構成している。【選択図】図１
2005262019.tif 000002
【特許請求の範囲】
【請求項１】
槽と、この槽内へ水あるいは温水をポンプを介装してあるいは圧力がかかる状態で供給する水供給路と、この水供給路のポンプの下流あるいは該水供給路に介装した水あるいは温水に炭酸ガスを溶解させるミキサーと、このミキサーに炭酸ガスを供給する炭酸ガス供給装置と、前記ミキサーの下流の前記水供給路に介装された、該ミキサーと前記ポンプとの間を一定の加圧状態に保つことができる圧力調整弁とを備えることを特徴とする炭酸水製造装置。
【請求項２】
槽と、この槽内の水あるいは温水をポンプを介して循環させる循環路と、この循環路のポンプの下流に介装した水あるいは温水に炭酸ガスを溶解させるミキサーと、このミキサーに炭酸ガスを供給する炭酸ガス供給装置と、前記ミキサーの下流の前記循環路に介装された、該ミキサーと前記ポンプとの間を一定の加圧状態に保つことができる圧力調整弁とを備えることを特徴とする炭酸水製造装置。
【請求項３】
ミキサーと圧力調整弁との間に加圧タンクを介装したことを特徴とする請求項１、２いずれかに記載の炭酸水製造装置。
【発明の詳細な説明】
【技術分野】
【０００１】
本発明は水や温水に炭酸ガスを溶解させて炭酸水を製造する炭酸水製造装置に関する。
【背景技術】
【０００２】
従来の炭酸水製造装置はポンプを介して温水と炭酸ガスとを分散器へ供給し、該分散器で温水に炭酸ガスを溶解させて浴槽へ供給するように構成されている。
【０００３】
このため、分散器で十分に温水に炭酸ガスを溶解することができず、不溶解のものは大きな泡となって浴槽へ供給されるため、これが原因となって浴槽内の溶解ガスも出てしまい、高濃度の炭酸水を製造することができないという欠点があった。
【特許文献１】特許第２０８６２９１
【発明の開示】
【発明が解決しようとする課題】
【０００４】
本発明は以上のような従来の欠点に鑑み、水や温水に炭酸ガスを効率よく溶解させて、高濃度の炭酸水を製造することができるとともに、炭酸ガスが無駄に排出されるのを効率よく阻止して、経済的に使用することができる炭酸水製造装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は槽と、この槽内へ水あるいは温水をポンプを介装してあるいは圧力がかかる状態で供給する水供給路と、この水供給路のポンプの下流あるいは該水供給路に介装した水あるいは温水に炭酸ガスを溶解させるミキサーと、このミキサーに炭酸ガスを供給する炭酸ガス供給装置と、前記ミキサーの下流の前記水供給路に介装された、該ミキサーと前記ポンプとの間を一定の加圧状態に保つことができる圧力調整弁とで炭酸水製造装置を構成している。
【発明の効果】
【０００７】
以上の説明から明らかなように、本発明にあっては次に列挙する効果が得られる。
【０００８】
（１）水供給路のポンプの下流あるいは該水供給路に介装した水あるいは温水に炭酸ガスを溶解させるミキサーと、このミキサーに炭酸ガスを供給する炭酸ガス供給装置と、ミキサーの下流の水供給路に介装された、該ミキサーとポンプとの間を一定の加圧状態に保つことができる圧力調整弁とで構成されているので、水に炭酸ガスをミキサーで混合した状態で一定の加圧状態にすることができる。
このため、炭酸ガスの溶解性の向上を図ることができるとともに、炭酸ガス溶解濃度の高安定性やコントロール性の向上を図ることができる。
【０００９】
（２）前記（１）によって、圧力調整弁によって完全溶解した炭酸水を槽へ供給できるので、目標溶解度、ＰＨ値にできる。
【００１０】
（３）前記（１）によって、ミキサーの下流の水供給路に圧力調整弁を介装するだけでよいので、容易に、安価に実施することができる。
【００１１】
（４）前記（１）によって、高濃度の炭酸水を効率よく製造することができるとともに、外部へ排出される炭酸ガスを効率よく阻止できるので、経済的に炭酸水を製造することができる。
【００１２】
（５）請求項２も前記（１）〜（４）と同様な効果が得られる。
【００１３】
（６）請求項３は加圧タンクによって、より効率よく水あるいは温水に炭酸ガスを溶解させて高濃度の炭酸水を製造することができる。
【発明を実施するための最良の形態】
【００１４】
以下、図面に示す本発明を実施するための最良の形態により、本発明を詳細に説明する。
【００１５】
図１に示す本発明を実施するための最良の第１の形態において、１は本発明の炭酸水製造装置で、この炭酸水製造装置１は水槽や浴槽等の槽２と、この槽２内に収納された水あるいは温水３をポンプ４を介して循環させる循環路５と、この循環路５のポンプ４の下流に介装した水あるいは温水３に炭酸ガスを溶解させるオリフイス塔形式、エジェクター形式等、いかなる形式のミキサー６と、このミキサー６にコントロールボックス７を介して炭酸ガスを供給する炭酸ガス供給装置８と、前記ミキサー６の下流の前記循環路５に介装された、該ミキサー６と前記ポンプ４との間を一定の加圧状態に保つことができる圧力調整弁９とで構成されている。
【００１６】
前記炭酸ガス供給装置８は炭酸ガスボンベ１０と、この炭酸ガスボンベ１０からの炭酸ガスを前記コントロールボックス７を介して前記ミキサー６へ供給するガス供給通路１１と、このガス供給通路１１に介装された減圧弁１２および流量計１３とで構成されている。
【００１７】
前記コントロールボックス７は、該コントロールボックス７内の前記ガス供給通路１１に介装された電磁弁１４および逆止弁１５と、この電磁弁１４の上流のガス供給通路１１に介装された圧力スイッチ１６と、前記槽２内の水あるいは温水３に触れるように設置されたＰＨ検出計１７からの検出値指令信号によって、前記電磁弁１４を作動制御するとともに、炭酸濃度計１８の検出部１９が前記槽２内の水あるいは温水３に触れるように設置され、該炭酸濃度計１８の検出値指令信号によって、前記電磁弁１４を作動制御する作動制御回路２０とで構成されている。
【００１８】
上記構成の炭酸水製造装置１はポンプ４の駆動により、循環路５によって槽２内の水あるいは温水３は循環される。
この時、ミキサー６で水あるいは温水３に炭酸ガス供給装置８からの炭酸ガスが混合攪拌され溶解されるとともに、ポンプ４と圧力調整弁９との間に一定の圧力状態に保たれるため、該部での炭酸ガス溶解性の向上、炭酸ガス溶解濃度の高安定性、コントロール性の向上を図ることができ、高濃度の炭酸水を効率よく製造することができる。
また、圧力調整弁９によって、不溶解で大きな泡となって炭酸ガスが外部へ排出されるのも効率よく阻止することができる。
[発明を実施するための異なる形態]
【００１９】
次に、図２ないし図４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図２に示す本発明を実施するための第２の形態において、前記本発明を実施するための最良の第１の形態と主に異なる点は、圧力調整弁９とミキサー６との循環路５に供給側が上部で、排出側が下部に位置する加圧タンク２１を介装した点で、このように加圧タンク２１を設けた炭酸水製造装置１Ａにすることにより、より効率よく水あるいは温水３に炭酸ガスを溶解させることができる。
【００２１】
図３に示す本発明を実施するための第３の形態において、前記本発明を実施するための最良の第１の形態と主に異なる点は、ポンプ４へ電磁弁２２を介して水あるいは温水を供給する水供給路２３を用いた点で、このように構成した炭酸水製造装置１Ｂにしても、前記本発明を実施するための最良の第１の形態と同様な作用効果が得られる。
【００２２】
図４に示す本発明を実施するための第４の形態において、前記本発明を実施するための第３の形態と主に異なる点は、圧力調整弁９とミキサー６との間の水供給路２３に供給側が上部で、排出側が下部に位置する加圧タンク２１と、この加圧タンク２１内に設けたＰＨ検出計１７からの検出値指令信号によって電磁弁２２を作動制御する作動制御回路２０Ａを設けた点で、このように構成された炭酸水製造装置１Ｃにしても、前記本発明を実施するための第３の形態と同様な作用効果が得られる。
【００２３】
なお、前記本発明を実施するための第３、４の形態ではポンプ４を用いるものについて説明したが、本発明はこれに限らず、圧力がかかる状態で供給される水道水などを用いる場合にはポンプ４を用いない水供給路２３を使用しても良い。
【産業上の利用可能性】
【００２４】
本発明は炭酸水を製造し、使用する産業で利用される。
【図面の簡単な説明】
【００２５】
【図１】本発明を実施するための最良の第１の形態の概略図。
【図２】本発明を実施するための第２の形態の概略図。
【図３】本発明を実施するための第３の形態の概略図。
【図４】本発明を実施するための第４の形態の概略図。
【符号の説明】
【００２６】
１、１Ａ、１Ｂ、１Ｃ：炭酸水製造装置、
２：槽、                      ３：水あるいは温水、
４：ポンプ、                  ５：循環路、
６：ミキサー、                ７：コントロールボックス、
８：炭酸ガス供給装置、        ９：圧力調整弁、
１０：炭酸ガスボンベ、        １１：ガス供給路、
１２：減圧弁、                １３：流量計、
１４：電磁弁、                １５：逆止弁、
１６：圧力スイッチ、          １７：ＰＨ検出計、
１８：炭酸濃度計、            １９：検出部、
２０、２０Ａ：作動制御回路、  ２１：加圧タンク、
２２：電磁弁、                ２３：水供給路。
【図１】
2005262019.tif 000003
【図２】
2005262019.tif 000004
【図３】
2005262019.tif 000005
【図４】
2005262019.tif 000006